(57)【要約】    【課題】きわめて細いラインを使用する魚釣りにおいても、ラインが引っ掛かることのないキャップの提供。    【解決手段】キャップ１０は、魚釣り等に使用される。キャップ１０は、キャップ本体１１と、キャップ本体１１のサイズを調整するサイズ調整機構１２とを備えている。キャップ本体１１を構成する生地１５は、頂部３０で滑らかに束ねられている。サイズ調整機構１２は、調整ベルト２３とリング部材２２とを有する。調整ベルト２３は、キャップ本体１１の開口１６の一方の縁部２４に取り付けられ、リング部材２２は、開口１６の他方の縁部２８に取り付けられている。調整ベルト２３は、リング部材２２に挿通されている。調整ベルト２３は、リング部材２２を起点として折り返され、当該調整ベルト２３の内側に折り重ねられている。【選択図】図２
2006169703.tif 000002
【特許請求の範囲】
【請求項１】
着用者の頭部が挿入される開口を有するキャップ本体と、
上記開口の周縁寸法を調整するための調整ベルトと、
調整ベルトが係合される係合部材とを有し、
調整ベルトは、係合部材に巻き掛けられ且つ当該調整ベルトの内側に折り重ねられているキャップ。
【請求項２】
上記キャップ本体は、上記開口に連続して形成された切欠部を有し、
上記調整ベルトは、上記切欠部の一方縁部に設けられ、
上記係合部材は、上記切欠部の他方縁部に設けられている請求項１に記載のキャップ。
【請求項３】
上記係合部材は、リング部材からなる請求項１又は２に記載のキャップ。
【請求項４】
上記調整ベルトは、面ファスナーによって折重状態が保持されている請求項１ないし３のいずれかに記載のキャップ。
【発明の詳細な説明】
【技術分野】
【０００１】
本発明は、特に釣りの際に使用されるキャップの構造に関するものである。
【背景技術】
【０００２】
魚釣り等のアウトドアスポーツでは、一般にキャップが使用される。アウトドア用として構成されたキャップは、たとえば携帯ライトを装着することができる等、種々の改良が施されている（たとえば、特許文献１参照）。
【０００３】
図４は魚釣用キャップの側面図、図５は要部拡大斜視図である。このキャップ１は、特に魚釣りの際に使用されるものであり、本体２と鍔３とを有している。これらの図が示すように、本体２の後部には、アジャスター４が設けられており、釣人の体格（頭部周囲寸法）に応じて本体２の内周寸法が調整されるようになっている。具体的には、このアジャスター４は、図５が示すように調整ベルト５、６を有している。両者は面ファスナー構造を備えており、互いに接触することによって所定の接着力で接着する。両者のオーバーラップ寸法が大きいほど本体２の内周寸法が小さくなる。
【０００４】
【特許文献１】特開２０００−３４５４２０公報
【発明の開示】
【発明が解決しようとする課題】
【０００５】
ところで、魚釣りには「鮎釣り」というジャンルがある。この鮎釣りでは、きわめて細いライン（釣糸）が使用される。このようなラインはきわめて柔らかく且つ風に吹かれやすく、釣人にとっては扱い難いものである。そのため、実釣中にラインがウェアや上記キャップ１等に引っかかることもある。特に釣糸が上記アジャスター４に引っ掛かった場合には、引っ掛かったラインを取り外す作業も容易ではなく、釣人は、非常に煩わしい作業を強いられることになる。
【０００６】
そこで、本発明の目的は、きわめて細いラインを使用する魚釣りにおいても、ラインが引っ掛かることのないキャップを提供することである。
【課題を解決するための手段】
【０００７】
(1) 上記目的が達成されるため、本発明に係るキャップは、着用者の頭部が挿入される開口を有するキャップ本体と、上記開口の周縁寸法を調整するための調整ベルトと、調整ベルトが係合される係合部材とを有し、調整ベルトは、係合部材に巻き掛けられ且つ当該調整ベルトの内側に折り重ねられていることを特徴とするものである。
【０００８】
この構成によれば、キャップ本体のサイズ、すなわち着用者の頭部が挿入される開口の周縁寸法が調整ベルトによって調整される。具体的には、調整ベルトが係合部材に巻き掛けられ、当該係合部材を滑車として引っ張られることにより、キャップのサイズが小さくなる。この調整ベルトは、係合部材によって折り返され、当該調整ベルトの内側に折り重ねられる。したがって、調整ベルトの折り返された部分が外側に露出することがなく、キャップ本体の外周面は滑らかな面となる。
【０００９】
(2) 上記キャップ本体が上記開口に連続して形成された切欠部を有し、上記調整ベルトが上記切欠部の一方縁部に設けられ、上記係合部材が上記切欠部の他方縁部に設けられているのが好ましい。この構成では、開口に連続して切欠部が設けられているから、調整ベルトによって上記開口の周縁寸法が変更されたときは、この切欠部が変形する。したがって、キャップ本体のサイズが調整された場合であっても、キャップ本体の開口にしわが発生することはなく、キャップの見栄えが悪くなることはない。
【００１０】
上記係合部材は、リング部材からなるのが好ましい。これにより、着用者は調整ベルトを円滑に引っ張ることができ、簡単にサイズ調整することができる。また、上記調整ベルトは、面ファスナーによって折重状態が保持されているのが好ましい。これにより、調整ベルトは、簡単且つ確実に保持されるので、キャップ本体の寸法調整が一層簡単なものとなる。
【発明の効果】
【００１１】
本発明によれば、調整ベルトがキャップ本体の内側に折り返されるから、キャップ本体の外周面は滑らかな面となる。その結果、きわめて細いラインを使用する魚釣りにおいても、ラインが調整ベルト等に引っ掛かることがなく、釣人は、快適に釣りを楽しめる。
【発明を実施するための最良の形態】
【００１２】
以下、適宜図面が参照されつつ、好ましい実施形態に基づいて本発明が詳細に説明される。
【００１３】
図１は、本発明の一実施形態に係るキャップの斜視図である。
【００１４】
このキャップ１０は、魚釣り等のアウトドアスポーツに好適に使用される。キャップ１０は、キャップ本体１１と、キャップ本体１１のサイズを調整するサイズ調整機構１２とを備えている。
【００１５】
キャップ本体１１は、下面に開口１３を有する器状に形成されている。釣人（装着者）の頭部がこの開口１３に嵌め込まれるようになっている。キャップ本体１１の前方に鍔１４が設けられている。この鍔１４は、上記開口１３の前方縁部に縫いつけられ、前方に突出している。キャップ本体１１は複数の生地１５からなり、各生地１５は、同図が示すように立体的に縫製されている。各生地１５の上端は、キャップ本体１１の頂部３０において束ねられ、互いに縫いつけられている。したがって、キャップ本体１１の頂部３０は、各生地１５が滑らかに連続され、凹凸が形成されていない。本実施形態では、キャップ本体１１は６枚の生地１５からなるが、生地１５の数は、何ら制限を受けることはない。
【００１６】
生地１５は、たとえばタブルラッセル編機により形成される編地が採用され得る。この生地１５は、表裏二層の編地と、これら編地を間隔をあけて連結する連結糸とから構成される。具体的には、表編地と裏編地とが連結糸で連結され、各編地がそれぞれメッシュ状に形成されている。すなわち、二重編地の厚さ方向および当該方向に直交する方向に空隙が設けられている。したがって、この二重編地は、軽量でありながら通気性に優れている。この生地１５を構成する糸条の素材は特に限定されるものではない。たとえば、ナイロン、ポリエステル、ポリアミド、ポリアクリロニトリル等の合成繊維や再生繊維のほか、ウール、木綿等の天然繊維が採用され得る。上記二層編地を連結する連結糸は、低密度（嵩が高い）と適度な反発力（弾性力）を備えながら、通気性を備えたものが好ましい。もっとも、生地１５を構成する材料は、特に限定されるものではない。
【００１７】
図２は、キャップ１０の後部拡大斜視図である。
【００１８】
キャップ本体１１の後部に切欠部１６が設けられている。同図が示すようにこの切欠部１６は、上記生地１５がアーチ状に切り込まれることによって構成されている。この切欠部１６の作用効果については後述される。
【００１９】
また、図１が示すように、キャップ本体１１は連結部１７を備えている。この連結部１７は、キャップ本体１１に設けられたポケット１８と、固定ピン１９と、固定ピン１９に結びつけられた紐２０とを備えている。ポケット１８は、キャップ本体１１の側面に生地２１が袋状に縫いつけられることによって構成されている。固定ピン１９は、この生地２１を挟み付けることによって、当該生地２１に固着することができる。なお、固定ピン１９は、既知の構造であって、生地２１に自在に着脱することが可能である。紐２０の一端は固定ピン１９に連結され、他端は、図２が示すようにキャップ本体１１に固定されている。釣人がこのキャップ１０を使用するときは、上記固定ピン１９をキャップ本体１１から外し、ウェア等に固定する。具体的には、固定ピン１９がウェアの生地を挟み付ける。これにより、強風時においてもキャップ１０が釣人の頭部から飛び去ってしまうことはない。
【００２０】
図２が示すように、サイズ調整機構１２は、リング部材２２（係合部材）と、これに巻き掛けられた調整ベルト２３とを備えている。また、図３は、この調整ベルト２３がリング部材２２から取り外された状態を示す斜視図である。前述のようにサイズ調整機構１２は、キャップ本体１１のサイズを調整するものであるが、具体的には、上記調整ベルト２３が操作されることによって、キャップ本体１１の上記開口１３の周縁寸法が調整される。
【００２１】
調整ベルト２３は細長矩形状を呈し、その基端部が上記切欠部１６の一方の縁部２４に縫いつけられている。調整ベルト２３の内側にファスナー２５が取り付けられている。具体的には、調整ベルト２３の基端部の内側にフックテープ２６が取り付けられ、調整ベルト２３の先端部の内側にループテープが取り付けられている。したがって、調整ベルト２３が折り返されることによって、二つ折れ状態で調整ベルト２３が折り曲げられ、当該状態が保持されるようになっている。
【００２２】
リング部材２２は、例えば樹脂（典型的にはポリオキシメチレン、ナイロン、ポリエチレン）又は金属（典型的には真鍮）からなる。リング部材２２は、上記切欠部１６の他方の縁部２８に取り付けられている。具体的には、連結帯２９が上記他方の縁部２８に縫いつけられ、リング部材２２がこの連結帯２９に挿通されている。もっとも、リング部材２２が直接に上記他方の縁部２８に固定されていてもよい。
【００２３】
図２が示すように、上記調整ベルト２３は、このリング部材２２に挿通されている。具体的には、調整ベルト２３の先端部がリング部材２２に挿通され、当該先端部が当該調整ベルト２３の基端部の内側に重ね合わされている。すなわち、調整ベルト２３は、リング部材２２に対して当該キャップ本体１１の外側から内側に向かって巻き掛けられ、且つ当該調整ベルト２３の内側に折り重ねられている。
【００２４】
本実施形態に係るキャップ１０では、調整ベルト２３がリング部材２２に巻き掛けられる。このとき、リング部材２２は、調整ベルトが巻き掛けられた滑車として機能し得る。そして、調整ベルト２３が引っ張られることにより、キャップ本体１１の開口１３の周縁寸法（すなわち、キャップ１０のサイズ）が小さくなる。しかも、この調整ベルト２３は、リング部材２２を起点として折り返され、当該調整ベルト２３の内側に折り重ねられる。したがって、調整ベルト２３の折り返された部分（先端部）が外側に露出することがなく、キャップ本体１１の外周面は滑らかな面となる。その結果、例えば釣人がきわめて細いラインを使用する場合においても、ラインが調整ベルト２３に引っ掛かることがなく、釣人は、快適に釣りを楽しめる。
【００２５】
また、本実施形態では、キャップ本体１１の開口１３に連続して切欠部１６が設けられているから、調整ベルト２３によって開口１３の周縁寸法が変更され他場合には、この切欠部１６が変形する。換言すれば、キャップ本体１１のサイズが小さく変更された場合であっても、キャップ本体１１の開口１３に大きなしわが発生することはなく、したがって、キャップ本体１１のサイズが大きく調整された場合であっても、キャップ１０の見栄えが悪くなることはない。
【００２６】
特に、調整ベルト２３は、上記リング部材２２を滑車として引っ張られるから、釣人は、調整ベルト２３を円滑に引っ張ることができ、簡単にサイズ調整することができるという利点がある。また、調整ベルト２３は、面ファスナー２５を備えているので、調整ベルト２３は、簡単に折りたたまれ、当該状態が維持される。すなわち、調整ベルト２３は、簡単且つ確実に保持されるので、釣人は、キャップ本体１１の寸法調整を一層簡単に行うことができる。
【００２７】
加えて、図１が示すように、キャップ本体１１の頂部３０は滑らかな曲面に形成されていることから、キャップ本体１１にラインが引っ掛かることも効果的に防止される。
【産業上の利用可能性】
【００２８】
本発明は、魚釣り等のアウトドアスポーツに使用されるキャップに適用され得る。
【図面の簡単な説明】
【００２９】
【図１】図１は、本発明の一実施形態に係るキャップの斜視図である。
【図２】図２は、本発明の一実施形態に係るキャップの後部拡大斜視図である。
【図３】図３は、本発明の一実施形態に係るキャップの調整ベルトがリング部材から取り外された状態を示す斜視図である。
【図４】図４は、従来の魚釣用キャップの側面図である。
【図５】図５は、従来の魚釣用キャップの要部拡大斜視図である。
【符号の説明】
【００３０】
１０・・・キャップ
１１・・・キャップ本体
１２・・・サイズ調整機構
１３・・・開口
１４・・・鍔
１５・・・生地
１６・・・切欠部
２２・・・リング部材
２３・・・調整ベルト
２４・・・一方の縁部
２５・・・面ファスナー
２６・・・フックテープ
２７・・・ループテープ
２８・・・他方の縁部
２９・・・連結帯
３０・・・頂部
【図１】
2006169703.tif 000003
【図２】
2006169703.tif 000004
【図３】
2006169703.tif 000005
【図４】
2006169703.tif 000006
【図５】
2006169703.tif 000007